【手続補正書】
【提出日】平成18年12月6日(2006.12.6)
【手続補正１】
【補正対象書類名】明細書
【補正対象項目名】特許請求の範囲
【補正方法】変更
【補正の内容】
【特許請求の範囲】
【請求項１】  テトラフルオロエチレン(TFE)ホモポリマー又は少なくとも１つのエチレン不飽和を含有する１以上のモノマーの0.01〜10モル％、好ましくは0.05〜5モル％量とのTFEのコポリマーで構成された半結晶性フルオロポリマーラテックス粒子が混和されているフルオロエラストマーマトリクスからなり、半結晶性フルオロポリマーラテックスの平均粒径が半結晶性フルオロポリマーの少なくとも60重量％に対して10〜100nmの範囲であるフルオロポリマー。
【請求項２】  半結晶性フルオロポリマーラテックスの粒径が10〜60nmの範囲である請求項１に記載のフルオロポリマー。
【請求項３】  半結晶性フルオロポリマーラテックスをフルオロエラストマーラテックスと混合し、次いで凝固させて得ることができる請求項１又は２に記載のフルオロポリマー。
【請求項４】  第一工程で半結晶性フルオロポリマーを重合し、第二工程でフルオロエラストマーを重合して得ることができる請求項１又は２に記載のフルオロポリマー。
【請求項５】  フルオロエラストマーマトリクス内の半結晶性フルオロポリマー量が、全ポリマー混合物に対して２〜40重量％の範囲である請求項１〜４のいずれか１つに記載のフルオロポリマー。
【請求項６】  フルオロエラストマーマトリクス内の半結晶性フルオロポリマー量が、全ポリマー混合物に対して５〜30重量％の範囲である請求項５に記載のフルオロポリマー。
【請求項７】  半結晶性ポリマーが、水素化型及びフッ素化型両方のエチレン不飽和を有するコモノマーで改質されたPTFEベースである請求項１〜６のいずれか１つに記載のフルオロポリマー。
【請求項８】  水素化型コモノマーが、エチレン、プロピレン、メチルメタクリレート、メタクリル酸、ブチルアクリレート、ヒドロキシエチルヘキシル-アクリレート、スチレンから選択される請求項７に記載のフルオロポリマー。
【請求項９】  フッ素化コモノマーが、
-パーフルオロオレフィンC3-C8、例えばヘキサフルオロプロペン(HFP)、ヘキサフルオロイソブテン；
-水素化型フルオロオレフィンC2-C8、例えばフッ化ビニル(VF)、フッ化ビニリデン(VDF)、トリフルオロエチレン、パーフルオロアルキルエチレンCH2=CH-Rf [RfはパーフルオロアルキルC1-C6]；
-クロロ-及び/又はブロモ-及び/又はヨード-フルオロオレフィンC2-C8、例えばクロロトリフルオロエチレン(CTFE)；
-(パー)フルオロアルキルビニルエーテル(PAVE)CF2=CFORf [Rfは(パー)フルオロアルキルC1-C6]、例えばCF3、C2F5、C3F7；
-(パー)フルオロ-オキシアルキルビニルエーテルCF2=CFOX [XはアルキルC1-C12又はオキシアルキルC1-C12、又は１以上のエーテル基を有する(パー)フルオロ-オキシアルキルC1-C12]、例えばパーフルオロ-2-プロポキシ-プロピル；フルオロジオキソール
から選択される請求項７に記載のフルオロポリマー。
【請求項１０】  コモノマーが、パーフルオロメチル-、エチル-、又はプロピル-ビニルエーテル及びパーフルオロジオキソールである請求項７〜９のいずれか１つに記載のフルオロポリマー。
【請求項１１】  フルオロエラストマーが、
(1)フッ化ビニリデン(VDF)-ベースのコポリマー(VDFは次のものから選択された少なくとも１つのコモノマーと共重合する：テトラフルオロエチレン(TFE)、ヘキサフルオロプロペン(HFP)のようなパーフルオロオレフィンC2-C8；クロロトリフルオロエチレン(CTFE)及びブロモトリフルオロエチレンのようなクロロ-及び/又はブロモ-及び/又はヨード-フルオロオレフィン C2-C8；(パー)フルオロアルキルビニルエーテル(PAVE)CF2=CFORf [Rfは(パー)フルオロアルキルC1-C6]、例えばトリフルオロメチル、ブロモジフルオロメチル、ペンタフルオロプロピル；パーフルオロオキシアルキルビニルエーテル CF2=CFOX [Xは１以上のエーテル基を有するパーフルオロオキシアルキルC1-C12]、例えばパーフルオロ-2-プロポキシ-プロピル；非フッ素化オレフィン(Ol) C2-C8、例えばエチレン及びプロピレン)；
(2)テトラフルオロエチレン(TFE)ベースコポリマー(TFEは次のものから選択された少なくとも１つのコモノマーと共重合する：(パー)フルオロアルキルビニルエーテル(PAVE) CF2=CFORf [Rfは上記のとおり]；パーフルオロ-オキシアルキルビニルエーテル CF2=CFOX [Xは上記のとおり]；水素及び/又は塩素及び/又は臭素及び/又はヨウ素原子を含むフルオロオレフィンC2-C8；非フッ素化オレフィン(Ol) C2-C8；ヒドロシアン基を含むパーフルオロビニルエーテル)
の群から選択される請求項１〜１０のいずれか１つに記載のフルオロポリマー。
【請求項１２】  フルオロエラストマーがモルで示される以下の組成物：
(a)フッ化ビニリデン(VDF) 45〜85％、ヘキサ-フルオロプロペン(HFP) 15〜45％、テトラフルオロエチレン(TFE) ０〜30％；
(b)フッ化ビニリデン(VDF) 50〜80％、パーフルオロアルキルビニルエーテル(PAVE) ５〜50％、テトラフルオロエチレン(TFE) ０〜20％；
(c)フッ化ビニリデン(VDF) 20〜30％、非フッ素化オレフィン(Ol) C2-C8 10〜30％、ヘキサフルオロプロペン(HFP)及び/又はパーフルオロアルキルビニルエーテル(PAVE) 18〜27％、テトラフルオロエチレン(TFE) 10〜30％；
(d)テトラフルオロエチレン(TFE) 50〜80％、パーフルオロアルキルビニルエーテル(PAVE) 20〜50％；
(e)テトラフルオロエチレン(TFE) 45〜65％、非フッ素化オレフィン(Ol) C2-C8 20〜55％、フッ化ビニリデン ０〜30％；
(f)テトラフルオロエチレン(TFE) 32〜60％、非フッ素化オレフィン(Ol) C2-C8 10〜40％、パーフルオロアルキル-ビニルエーテル(PAVE) 20〜40％；
(g)テトラフルオロエチレン(TFE) 33〜75％、パーフルオロアルキルビニルエーテル(PAVE) 15〜45％、フッ化ビニリデン(VDF) ５〜30％
から選択される請求項１１に記載のフルオロポリマー。
【請求項１３】  フルオロエラストマーが、一般式：
【化１】
2000239470.tif 000001
[式中、R1、R2、R3、R4、R5、R6は互いに同一又は異なってH又はアルキルC1-C5であり；
Zは、直鎖状又は分枝状のアルキレンもしくはシクロアルキレンC1-C18基で、任意に酸素原子を含み、好ましくは少なくとも部分的にフッ素化されている基であるか、又は(パー)フルオロポリオキシアルキレン基である]
を有するビス-オレフィンから誘導されるモノマー単位も含む請求項１〜１２のいずれか１つに記載のフルオロポリマー。
【請求項１４】  ビス-オレフィンから誘導される単位の鎖中での量が、フルオロエラストマーの基本構造を構成する他のモノマー単位に対して0.01〜1.0モル％の範囲である請求項１３に記載のフルオロポリマー。
【請求項１５】  フルオロエラストマーが、過酸化経路で硬化される請求項１〜１４のいずれか１つに記載のフルオロポリマー。
【請求項１６】  フルオロエラストマーがシアノ基を含み、有機スズ化合物及び/又は二芳香性アミン化合物で硬化される請求項１〜１４のいずれか１つに記載のフルオロポリマー。
【請求項１７】  フルオロエラストマーが有機スズ化合物及び/又は二芳香性アミン化合物により、及びポリマー鎖にヨウ素及び/又は臭素原子が存在する場合には任意に過酸化経路で硬化される請求項１６に記載のフルオロポリマー。
【請求項１８】  封止製品の製造のための請求項１〜１７のいずれか１つに記載のフルオロポリマーの使用。